(57)【要約】【課題】使用者が不意に忘れてしまっても外部からの電話帳・スケジュール等の閲覧及び着信呼に対する着信応答メッセージを変更可能な携帯電話装置を提供する。【解決手段】個人情報蓄積部１４は電話帳、メール、スケジュール等の個人情報を蓄積したメモリ上の領域で、制御部１９の要求によって参照／編集を行う。オーディオデータ蓄積部１５には留守番電話時の一つまたは複数の着信応答メッセージが登録されるとともに、発信元からの留守番メッセージが録音される。アクセス情報ＤＢ１６は留守番電話モードにおいて着信時に取得される発信者番号と再生すべき着信応答メッセージとの関連付け、外部からのリモートアクセス時のパスワード等の情報を登録する。制御部１９は無線処理部２０からの着信情報、メール等の情報を基に、リモートアクセス許容に対応する制御を行う。【選択図】　　　図２
2004096655.tif 000002
【特許請求の範囲】
【請求項１】
自端末に対するリモートアクセスを許容するか否かを判定する手段と、前記リモートアクセスを許容すると判定した時に少なくとも外部ネットワークからの要求に応答して少なくとも自端末内の情報閲覧・更新及び着信応答メッセージの更新を行う手段とを有することを特徴とする携帯電話装置。
【請求項２】
前記着信応答メッセージは、一つ以上の発信元に対応して登録可能としたことを特徴とする請求項１記載の携帯電話装置。
【請求項３】
前記着信応答メッセージは、音声情報及び動画情報の少なくとも一方であることを特徴とする請求項１または請求項２記載の携帯電話装置。
【請求項４】
前記着信応答メッセージは、インタネット上のコンテンツとして登録されていることを特徴とする請求項１から請求項３のいずれか記載の携帯電話装置。
【請求項５】
前記外部ネットワーク上の情報処理端末から前記リモートアクセスを可能としたことを特徴とする請求項１から請求項４のいずれか記載の携帯電話装置。
【請求項６】
前記リモートアクセスを許容するか否かを判定するための情報を蓄積するデータベースを含むことを特徴とする請求項１から請求項５のいずれか記載の携帯電話装置。
【請求項７】
前記着信応答メッセージ及び前記発信元からの録音メッセージを蓄積する手段を含むことを特徴とする請求項２から請求項６のいずれか記載の携帯電話装置。
【請求項８】
少なくともインタネットを含む外部ネットワークに接続可能な携帯電話装置を含む移動通信システムであって、自端末に対するリモートアクセスを許容するか否かを判定する手段と、前記リモートアクセスを許容すると判定した時に少なくとも前記外部ネットワークからの要求に応答して少なくとも自端末内の情報閲覧・更新及び着信応答メッセージの更新を行う手段とを前記携帯電話装置に有することを特徴とする移動通信システム。
【請求項９】
前記着信応答メッセージは、一つ以上の発信元に対応して登録可能としたことを特徴とする請求項８記載の移動通信システム。
【請求項１０】
前記着信応答メッセージは、音声情報及び動画情報の少なくとも一方であることを特徴とする請求項８または請求項９記載の移動通信システム。
【請求項１１】
前記着信応答メッセージは、前記インタネット上のコンテンツとして登録されていることを特徴とする請求項８から請求項１０のいずれか記載の移動通信システム。
【請求項１２】
前記外部ネットワーク上の情報処理端末から前記リモートアクセスを可能としたことを特徴とする請求項８から請求項１１のいずれか記載の移動通信システム。
【請求項１３】
前記リモートアクセスを許容するか否かを判定するための情報を蓄積するデータベースを前記携帯電話装置に含むことを特徴とする請求項８から請求項１２のいずれか記載の移動通信システム。
【請求項１４】
前記着信応答メッセージ及び前記発信元からの録音メッセージを蓄積する手段を前記携帯電話装置に含むことを特徴とする請求項９から請求項１３のいずれか記載の移動通信システム。
【請求項１５】
少なくともインタネットを含む外部ネットワークに接続可能な携帯電話装置のリモートアクセス方法であって、前記携帯電話装置に対するリモートアクセスを許容するか否かを判定するステップと、前記リモートアクセスを許容すると判定した時に少なくとも前記外部ネットワークからの要求に応答して少なくとも前記携帯電話装置内の情報閲覧・更新及び着信応答メッセージの更新を行うステップとを有することを特徴とするリモートアクセス方法。
【請求項１６】
前記着信応答メッセージは、一つ以上の発信元に対応して登録可能としたことを特徴とする請求項１５記載のリモートアクセス方法。
【請求項１７】
前記着信応答メッセージは、音声情報及び動画情報の少なくとも一方であることを特徴とする請求項１５または請求項１６記載のリモートアクセス方法。
【請求項１８】
前記着信応答メッセージは、前記インタネット上のコンテンツとして登録されていることを特徴とする請求項１５から請求項１７のいずれか記載のリモートアクセス方法。
【請求項１９】
前記外部ネットワーク上の情報処理端末から前記携帯電話装置に対する前記リモートアクセスを可能としたことを特徴とする請求項１５から請求項１８のいずれか記載のリモートアクセス方法。
【請求項２０】
前記リモートアクセスを許容するか否かを判定するための情報を前記携帯電話装置内のデータベースに蓄積することを特徴とする請求項１５から請求項１９のいずれか記載のリモートアクセス方法。
【請求項２１】
前記着信応答メッセージ及び前記発信元からの録音メッセージを蓄積するステップを含むことを特徴とする請求項１６から請求項２０のいずれか記載のリモートアクセス方法。
【請求項２２】
少なくともインタネットを含む外部ネットワークに接続可能な携帯電話装置のリモートアクセス方法のプログラムであって、前記携帯電話装置のコンピュータに、自端末に対するリモートアクセスを許容するか否かを判定する処理と、前記リモートアクセスを許容すると判定した時に少なくとも前記外部ネットワークからの要求に応答して少なくとも自端末内の情報閲覧・更新及び着信応答メッセージの更新を行う処理とを実行させるためのプログラム。
【発明の詳細な説明】
【０００１】
【発明の属する技術分野】
本発明は携帯電話装置、移動通信システム及びそれに用いるリモートアクセス方法並びにそのプログラムに関し、特に携帯電話装置に対するリモートアクセスの方法に関する。
【０００２】
【従来の技術】
従来、携帯電話装置においては、持ち歩くことが常態化しており、必要なＰＩＭ　（Ｐｅｒｓｏｎａｌ　Ｉｎｆｏｒｍａｔｉｏｎ　Ｍａｎａｇｅｒ）情報を手帳ではなく、携帯電話装置に登録することが考えられる。また、電話を掛ける人も、携帯電話装置を持ち歩いているものと想定し、素早いレスポンスを求める場合が考えられる。
【０００３】
一方、携帯電話装置はバッテリ駆動のため、充電する必要があり、忘れたまま出かけてしまう等のアクシデントが考えられる。例えば、商談等の大事な約束がある場合に、その約束の待ち合わせ時間・場所・電話番号等を携帯電話装置内のメモリに登録し、手帳等の他の手段に登録していない場合に、携帯電話装置を忘れてしまうと、大きな問題となりかねない。待ち合わせ場所に辿り付けない場合等には、使用者自身から連絡する手段がなくなってしまう。
【０００４】
上記のように、所有者が現在、自分自身の携帯電話装置を所持していない場合でも、遠隔地の別の電話装置から携帯電話装置内の電話帳等の個人データ（テキストデータ）を呼び出して利用したり、あるいは携帯電話装置内のキャラクタデータの読出しや設定を遠隔地から可能とする技術も提案されている（例えば、特許文献１，２参照）。
【０００５】
【特許文献１】
特開２０００−２１６８５８号公報
【特許文献２】
特開２０００−１２５０２６号公報
【０００６】
【発明が解決しようとする課題】
上述したように、従来の携帯電話装置では、一人の人間によって常に携帯されていることが多いため、早急なレスポンスを求められることが考えられるとともに、バッテリの充電が必要になるため、常時、ポケット等の決まった場所に入れておくということができず、忘れてしまう場合も考えられる。
【０００７】
そのため、従来の携帯電話装置では、装置内のメモリに蓄積されたデータを外部ネットワークからアクセスしたり、特定の相手（グループ）を指定した留守番電話サービスのメッセージを外部から変更することができないため、上記のような事態に対処することができないという問題がある。
【０００８】
そこで、本発明の目的は上記の問題点を解消し、使用者が不意に忘れてしまっても外部からの電話帳・スケジュール等の閲覧及び着信呼に対する着信応答メッセージの変更を行うことができる携帯電話装置、移動通信システム及びそれに用いるリモートアクセス方法並びにそのプログラムを提供することにある。
【０００９】
【課題を解決するための手段】
本発明による携帯電話装置は、自端末に対するリモートアクセスを許容するか否かを判定する手段と、前記リモートアクセスを許容すると判定した時に少なくとも外部ネットワークからの要求に応答して少なくとも自端末内の情報閲覧・更新及び着信応答メッセージの更新を行う手段とを備えている。
【００１０】
本発明による移動通信システムは、少なくともインタネットを含む外部ネットワークに接続可能な携帯電話装置を含む移動通信システムであって、自端末に対するリモートアクセスを許容するか否かを判定する手段と、前記リモートアクセスを許容すると判定した時に少なくとも前記外部ネットワークからの要求に応答して少なくとも自端末内の情報閲覧・更新及び着信応答メッセージの更新を行う手段とを前記携帯電話装置に備えている。
【００１１】
本発明によるリモートアクセス方法は、少なくともインタネットを含む外部ネットワークに接続可能な携帯電話装置のリモートアクセス方法であって、前記携帯電話装置に対するリモートアクセスを許容するか否かを判定するステップと、前記リモートアクセスを許容すると判定した時に少なくとも前記外部ネットワークからの要求に応答して少なくとも前記携帯電話装置内の情報閲覧・更新及び着信応答メッセージの更新を行うステップとを備えている。
【００１２】
本発明によるリモートアクセス方法のプログラムは、少なくともインタネットを含む外部ネットワークに接続可能な携帯電話装置のリモートアクセス方法のプログラムであって、前記携帯電話装置のコンピュータに、自端末に対するリモートアクセスを許容するか否かを判定する処理と、前記リモートアクセスを許容すると判定した時に少なくとも前記外部ネットワークからの要求に応答して少なくとも自端末内の情報閲覧・更新及び着信応答メッセージの更新を行う処理とを実行させている。
【００１３】
すなわち、本発明の携帯電話装置は、自端末に対するリモートアクセスを許容する機能を有することで、外部ネットワークから携帯電話装置内の情報閲覧・更新／着信応答メッセージ更新機能を実現したことを特徴としている。
【００１４】
一般に、携帯電話装置においては、個人が携帯していることが期待される一方で、バッテリ充電のために充電器へ接続することが必要であり、常時身に付けていることができない。
【００１５】
例えば、久しぶりにグループで集まる際に、携帯電話装置を（充電器に接続したまま）自宅へ忘れてしまった場合、約束した相手に携帯電話装置の電話番号しか伝えていなければ、あるいは待ち合わせ場所・他のメンバーの連絡先も携帯電話装置のスケジュール・電話帳にメモリ登録していれば、おそらく、携帯電話装置を取りに自宅へ戻ることになる。これに対し、本発明では、外部のネットワーク等を経由して携帯電話装置のメモリ情報（電話帳・メール等）へのリモートアクセスを許容する機能を実現しているので、自宅へ戻ることなく、上記のような事態に対処可能となる。
【００１６】
また、携帯電話装置への着信時、使用者が応答することができない場合には留守番電話サービスを起動する設定があるが、固定電話とは異なり、発信者は使用者が携帯電話装置を携帯していることを前提に用件を伝え、早急な応答を期待する場合がある。そのため、携帯電話装置を忘れてしまった場合、そのことを発信元に伝える手段がないため、無用のトラブルが発生する可能性がある。本発明では外部のネットワーク等を経由して携帯電話装置の個人・グループを指定した着信応答メッセージの更新（「今日は電話を持ち歩いていません」や約束相手等の特定の相手に対するメッセージへの変更）を可能とする機能を実現しているので、無用のトラブルの発生を避けることが可能となる。
【００１７】
【発明の実施の形態】
次に、本発明の実施例について図面を参照して説明する。図１は本発明の一実施例による携帯電話装置の外観を示す図であり、図２は本発明の一実施例による携帯電話装置の内部構成を示すブロック図である。図１において、携帯電話装置１はアンテナ１１と、表示部（液晶画面）１２と、操作部（キー）１３とを備えている。
【００１８】
図２において、携帯電話装置１はアンテナ１１と、表示部１２と、操作部１３と、個人情報蓄積部１４と、オーディオデータ蓄積部１５と、アクセス情報ＤＢ（データベース）１６と、受信データ処理部１７と、送信データ処理部１８と、制御部１９と、無線処理部２０と、記録媒体２１とから構成されている。
【００１９】
個人情報蓄積部１４は電話帳、メール、スケジュール等の個人情報を蓄積したメモリ上の領域で、制御部１９の要求によって参照／編集を行うことができる。オーディオデータ蓄積部１５には留守番電話時の一つまたは複数の着信応答メッセージが登録されている。また、オーディオデータ蓄積部１５には発信元からの留守番メッセージが録音される。
【００２０】
アクセス情報ＤＢ１６は自端末が留守番電話モードになっているかどうか、留守番電話モードにおいて着信時に取得される発信者番号と再生すべき着信応答メッセージとの関連付け、外部からのリモートアクセス時におけるパスワード等の情報が登録されているデータベースである。
【００２１】
受信データ処理部１７は電子メール等の携帯電話網（図示せず）を介して受信したデータを解析し、それが制御コマンドを意味する場合、制御部１９に対して処理要求を発行する。送信データ処理部１８は制御部１９からの処理要求によって、携帯電話網を介して要求された電話帳、スケジュール等の送信要求に対する応答のためのデータを作成し、制御部１９へ渡す。
【００２２】
制御部１９は無線処理部２０から受信した着信情報、メール等の情報を基に、リモートアクセス許容に対応する制御を行うとももに、上記の各部の制御を記録媒体２１に格納されかつコンピュータで実行可能なプログラムを実行することで実現する。
【００２３】
上述したように、本実施例による携帯電話装置１はリモートアクセスを許容する機能を持ち、携帯電話網との通信手段及び電話帳・メールなど個人情報を保存するメモリを持っている。また、携帯電話装置１は無線処理部２０にパケット交換呼と回線交換呼とを同時に行うマルチコール機能を有してもよい。
【００２４】
図３は本発明一実施例によるリモートアクセスを行うネットワーク（移動通信システム）の構成例を示す図である。図３において、携帯電話装置１はパケット交換または回線交換によって携帯電話網を介して基地局２と接続され、またゲートウェイ３を介してインタネット１００に接続可能となっている。
【００２５】
インタネット１００には携帯電話装置１のリモートアクセス制御を行う機能を有するアクセス制御サーバ４と、携帯電話装置１へアクセスするアクセス要求クライアント５とが接続されている。
【００２６】
アクセス制御サーバ４はインタネット上のホームページ等でアクセス要求クライアント５からの接続を許容し、携帯電話装置１に対して、電子メールまたは回線交換を利用したショートメッセージサービスのメール機能等を使って情報を送受信する。
【００２７】
アクセス要求クライアント５としては、インタネット１００に接続されたＰＣ（パーソナルコンピュータ）またはＰＤＡ（Ｐｅｒｓｏｎａｌ　ＤｉｇｉｔａｌＡｓｓｉｓｔａｎｔ）端末等の他、コンビニエンスストア・公共施設等に設置された情報端末等が考えられる。
【００２８】
図４は本発明の一実施例による外部からの着信時におけるネットワークの構成例を示す図である。図４において、携帯電話装置１は回線交換呼によって携帯電話網を介して携帯電話網または公衆回線網２００に接続された電話機（発信元）６からの着信要求を受けることができる。
【００２９】
携帯電話装置１はパケット交換呼と回線交換呼とを同時に行うマルチコール機能を有している場合、電話機６からの着信中にパケット交換を介してアクセス制御サーバ４と接続することが可能である。
【００３０】
この機能及び構成を利用することで、本実施例では、リモートアクセスを許容する機能を持つ携帯電話装置１が外部からの装置内の情報閲覧・更新及び着信応答メッセージを更新する機能を実現することができる。
【００３１】
図５は本発明の一実施例による移動通信システムのインタネット１００を経由したスケジュール情報取得に関するシーケンスを示すシーケンスチャートであり、図６は図２の携帯電話装置１の動作を示すフローチャートであり、図７は図２の携帯電話装置１が受信するスケジュール情報取得に関する電子メールの一例を示す図である。これら図１〜図７を参照して本発明の一実施例による移動通信システムのスケジュール情報の取得動作について説明する。尚、図６に示す処理は制御部１９が記録媒体２１のプログラムを実行することで実現される。
【００３２】
アクセス制御サーバ４は携帯電話装置１をリモートアクセスするサービスを提供しており、アクセス要求クライアント５は携帯電話装置１内の個人情報蓄積部１４からスケジュール情報を取得する場合、まずアクセス制御サーバ４へインタネット１００を介して接続するために、アクセス制御サーバ４のホームページへの接続要求を送信する（図５のａ１）。
【００３３】
アクセス制御サーバ４はアクセス要求クライアント５から接続要求を受取ると、セキュリティ保護のために認証要求を行い（図５のａ２）、アクセス要求クライアント５から受信したパスワードがあっていれば接続許可を行い（図５のａ３，ａ４）、携帯電話装置１に対する接続を開始する。
【００３４】
アクセス要求クライアント５はアクセス制御サーバ４から接続許可を受けると、アクセス制御サーバ４のホームページ上で携帯電話装置１に登録されている今日のスケジュール情報を参照したいという設定（スケジュール情報要求）を行う。
【００３５】
アクセス制御サーバ４はアクセス要求クライアント５からの要求を基に、携帯電話装置１に対して送信するメールデータを作成する（図５のａ６，ａ７）。このメールデータのフォーマットは予め携帯電話装置１とアクセス制御サーバ４との間で送受信するメールの形式（フォーマット）、宛先等が取り決められているものとする（図７参照）。
【００３６】
メールの形式を取り決めることで、例えば携帯電話装置１が公開可能なオブジェクト（電話帳、スケジュール等）の種類のリスト、電話帳の名前・グループのリスト等を読出すことが可能となる。アクセス制御サーバ４はその情報を基にアクセス要求クライアント５に対して公開するページの情報を更新し、アクセス要求クライアント５が携帯電話装置１に対して種々の情報の読出し・設定等の制御が可能となる。
【００３７】
作成されたメールデータはアクセス制御サーバ４から携帯電話装置１に対して電子メールまたはショートメッセージサービス等で送信される（図５のａ８）。ショートメッセージサービスの場合、発信者の電話番号を通知することが可能で、インタネット１００のような改竄等セキュリティ上の問題もないと考えられるので、携帯電話装置１を制御する伝送路としてより安全である。
【００３８】
携帯電話装置１はメールを無線処理部２０で受信すると（図６ステップＳ１）、そのメールを制御部１９に渡し、制御部１９は受信データ処理部１８に対して受信データ解析を行うよう要求するので、当該メールの解析が受信データ処理部１８で行われる（図６ステップＳ２）。
【００３９】
ここで、受信データ処理部１８は発信元（メールアドレスまたは発信者の電話番号等）情報、メールのサブジェクト、本文等の情報を解析し、通常のメールであれば　（図６ステップＳ３）、その旨を制御部１９へ通知し、制御部１９が通常のメール処理を行う（図６ステップＳ４）。
【００４０】
受信データ処理部１８は受信メールが携帯電話装置１に対するリモートアクセスを意味する場合（図６ステップＳ３）、メール本文内に記載されているパスワード情報を制御部１９へ通知し、制御部１９はアクセス情報ＤＢ１６へ携帯電話装置１のリモートアクセス用パスワードの値を問合せ、それらの値が一致するかどうかを比較する（図６ステップＳ５）。
【００４１】
制御部１９はパスワードが一致すると（図６ステップＳ６）、受信データ処理部１７に対してパスワードが一致した旨を通知し、受信データ処理部１７はメールの解析を継続し（図６ステップＳ７）、メールの要求（例えば、「今日のスケジュールを送信」）を制御部１９へ通知する。
【００４２】
制御部１９は個人情報蓄積部１４に対して「今日のスケジュール」を送信するよう要求し、個人情報蓄積部１４はメモリ上に蓄積されている「今日のスケジュール」情報を制御部１９へ渡す。制御部１９は送信データ処理部１８へ「今日のスケジュール」情報を渡し、アクセス制御サーバ４との間でやり取りする形式（フォーマット）でのメール作成を要求する。送信データ処理部１８は制御部１９に作成したメールを渡し、制御部１９は無線処理部２０を介してアクセス制御サーバ４へメールを送出する（図６ステップＳ８）（図５のａ９）。
【００４３】
ここで、制御部１９はパスワードが一致しなければ（図６ステップＳ６）、送信データ処理部１８にアクセス拒否の旨のメール作成を要求する。送信データ処理部１８は制御部１９に作成したメールを渡し、制御部１９は無線処理部２０を介してアクセス制御サーバ４へメールを送出する（図６ステップＳ９）。
【００４４】
アクセス制御サーバ４は受信したメールからスケジュールデータを読出し、アクセス制御サーバ４上のページ情報を更新し、アクセス要求クライアント５に対してスケジュール情報を通知する（図５のａ１０）。
【００４５】
以上の処理動作によって、アクセス要求クライアント５はアクセス制御サーバ４及びインタネット１００を介して携帯電話装置１の「今日のスケジュール」情報を閲覧することができる。
【００４６】
以上、本実施例の構成及び動作について述べたが、図１の携帯電話装置１、図３のインタネット１００上のネットワーク構成、図４の公衆回線網２００上のネットワーク構成は当業者にとってよく知られており、また本発明とは直接関係しないので、その詳細な構成及び動作の説明を省略する。
【００４７】
このように、本実施例では、携帯電話装置１内に蓄積された情報を遠隔操作によって更新、閲覧することができるとともに、携帯電話装置１が遠隔操作によって指定された制御情報を基に動作可能となる。
【００４８】
図８は本発明の他の実施例による移動通信システムのインタネット１００を経由した着信応答メッセージの更新に関するシーケンスを示すシーケンスチャートであり、図９は本発明の他の実施例による携帯電話装置の動作を示すフローチャートであり、図１０は本発明の他の実施例による携帯電話装置が受信する着信応答メッセージの更新に関する電子メールの一例を示す図である。
【００４９】
ここで、本発明の他の実施例による携帯電話装置は図１及び図２に示す本発明の一実施例による携帯電話装置１と同様の構成となっており、本発明の他の実施例による移動通信システムは図３及び図４に示す本発明の一実施例による移動通信システムと同様の構成となっている。これら図１〜図４及び図８〜図１０を参照して本発明の他の実施例による移動通信システムの着信応答メッセージの更新動作について説明する。尚、図９に示す処理は制御部１９が記録媒体２１のプログラムを実行することで実現される。
【００５０】
アクセス制御サーバ４は携帯電話装置１をリモートアクセスするサービスを提供しており、アクセス要求クライアント５は携帯電話装置１の留守番電話サービスにおける着信応答メッセージを更新する場合、まずアクセス制御サーバ４へインタネット１００を介して接続するために、アクセス制御サーバ４のホームページへの接続要求を送信する（図８のｂ１）。
【００５１】
アクセス制御サーバ４はアクセス要求クライアント５から接続要求を受取ると、セキュリティ保護のために認証要求を行い（図８のｂ２）、アクセス要求クライアント５から受信したパスワードがあっていれば接続許可を行い（図８のｂ３，ｂ４）、携帯電話装置１に対する接続を開始する。
【００５２】
アクセス要求クライアント５はアクセス制御サーバ４から接続許可を受けると、アクセス制御サーバ４のホームページ上で、携帯電話装置１の電話帳に登録されている人物・グループに対する着信応答メッセージを指定し、応答メッセージ変更要求を送出する（図８のｂ５）。この場合、変更後の着信応答メッセージである音声データはアクセス要求クライアント５からアクセス制御サーバ４へ音声データファイルとして登録するほか、アクセス要求クライアント５が指定したテキストメッセージをアクセス制御サーバ４で音声に変換したファイルを携帯電話装置１へ送信すること等が考えられる。
【００５３】
また、音声データファイルを実際に送信すると、音声データファイルの送信分が課金されるが、実際に着信があった場合にだけ、音声データファイルを携帯電話装置へ取込む方法も考えられる。その方法として、携帯電話装置１のマルチコール機能を利用して音声呼等の回線交換呼の着信処理中にインタネット１００上にある音声データをパケット交換呼で取得することが考えられる。
【００５４】
アクセス制御サーバ４はこの要求に基づいて携帯電話装置１に対して送信するメールデータを作成する（図８のｂ６）。このメールデータのフォーマットは予め携帯電話装置１とアクセス制御サーバ４との間で送受信するメールの形式（フォーマット）、宛先等が取り決められているものとする（図１０参照）。
【００５５】
作成されたメールはアクセス制御サーバ４から携帯電話装置１に対して電子メールまたはショートメッセージサービス等で送信される（図８のｂ８）。ショートメッセージサービスの場合、発信者の電話番号を通知することが可能で、インタネット１００のような改竄等セキュリティ上の問題もないと考えられるので、携帯電話装置１を制御する伝送路としてより安全である。
【００５６】
携帯電話装置１はメールを無線処理部２０で受信すると（図９ステップＳ１１）、そのメールを制御部１９に渡し、制御部１９は受信データ処理部１８に対して受信データ解析を行うよう要求するので、当該メールの解析が受信データ処理部１８で行われる（図９ステップＳ１２）。
【００５７】
ここで、受信データ処理部１８は発信元（メールアドレスまたは発信者の電話番号等）情報、メールのサブジェクト、本文等の情報を解析し、通常のメールであれば　（図９ステップＳ１３）、その旨を制御部１９へ通知し、制御部１９が通常のメール処理を行う（図９ステップＳ１４）。
【００５８】
受信データ処理部１８は受信メールが携帯電話装置１に対するリモートアクセスを意味する場合（図９ステップＳ１３）、メール本文内に記載されているパスワード情報を制御部１９へ通知し、制御部１９はアクセス情報ＤＢ１６へ携帯電話装置１のリモートアクセス用パスワードの値を問合せ、それらの値が一致するかどうかを比較する（図９ステップＳ１５）。
【００５９】
制御部１９はパスワードが一致すると（図９ステップＳ１６）、受信データ処理部１７に対してパスワードが一致した旨を通知し、受信データ処理部１７はメールの要求内容解析結果「応答メッセージを更新」を制御部１９へ通知する。制御部１９はオーディオデータ蓄積部１５に対し、指定したエリアの着信応答メッセージを更新するよう要求し、オーディオデータ蓄積部１５は着信応答メッセージを更新する（図９ステップＳ１７）。
【００６０】
制御部１９はアクセス情報ＤＢ１６に対して更新した着信応答メッセージのエリアまたは要求メールで指定されたアドレス情報と、名前（グループ）との関連付けの更新情報を送出し、アクセス情報ＤＢ１６の情報を更新する（図９ステップＳ１８）。
【００６１】
制御部１９は送信データ処理部１８へオーディオデータ蓄積部１５の着信応答メッセージの更新結果を渡し、アクセス制御サーバ４との間でやり取りする形式（フォーマット）でのメール作成を要求する。送信データ処理部１８は制御部１９に作成したメールを渡し、制御部１９は無線処理部２０を介してアクセス制御サーバ４へメールを送出する（図８のｂ９）。
【００６２】
ここで、制御部１９はパスワードが一致しなければ（図９ステップＳ１６）、送信データ処理部１８にアクセス拒否の旨のメール作成を要求する。送信データ処理部１８は制御部１９に作成したメールを渡し、制御部１９は無線処理部２０を介してアクセス制御サーバ４へメールを送出する（図９ステップＳ１９）。
【００６３】
アクセス制御サーバ４は受信したメールから更新結果を読出し、アクセス制御サーバ４上のページ情報を更新し、アクセス要求クライアント５に対して更新結果を通知する（図８のｂ１０）。
【００６４】
上記のように、アクセス要求クライアント５は携帯電話装置１において留守番電話サービスの着信応答メッセージとして使用するメッセージを更新することができる。
【００６５】
図１１は本発明の別の実施例による移動通信システムの着信応答に関するシーケンスを示すシーケンスチャートであり、図１２は本発明の別の実施例による携帯電話装置の動作を示すフローチャートである。
【００６６】
ここで、本発明の別の実施例による携帯電話装置は図１及び図２に示す本発明の一実施例による携帯電話装置１と同様の構成となっており、本発明の別の実施例による移動通信システムは図３及び図４に示す本発明の一実施例による移動通信システムと同様の構成となっている。これら図１〜図４と図１１と図１２とを参照して本発明の別の実施例による移動通信システムの着信応答動作について説明する。尚、図１２に示す処理は制御部１９が記録媒体２１のプログラムを実行することで実現される。
【００６７】
電話機（発信元）６は公衆回線網２００を介して携帯電話装置１に発信し、発信者番号“０９８７６５４３２１０”を含む着信要求を送信する（図１１のｃ１）。携帯電話装置１ではその着信要求を無線処理部２０が検出して制御部１９へ通知する（図１２ステップＳ２１）。
【００６８】
制御部１９は着信呼の発信者番号“０９８７６５４３２１０”に対して予め指定された動作があるかどうか、アクセス情報ＤＢ１６に問合せを行う。アクセス情報ＤＢ１６は発信者番号“０９８７６５４３２１０”に対して登録されているアクション、「応答メッセージとして２．ｗａｖを再生」という情報を制御部１９へ通知する（図１２ステップＳ２２）。
【００６９】
制御部１９はアクションを認識し、通常の着信処理（着信音鳴動、バイブレータ起動等）を行い（図１２ステップＳ２３）、使用者による応答が指定時間内にない場合（図１２ステップＳ２４）、留守番電話サービスを起動する（図１２ステップＳ２６）。但し、制御部１９は使用者による応答が指定時間内にあった場合（図１２ステップＳ２４）、通話処理に移る（図１２ステップＳ２５）。
【００７０】
制御部１９は留守番電話サービスを起動すると、オーディオデータ蓄積部１５に対して「２．ｗａｖ」ファイルを再生するように要求する。オーディオデータ蓄積部１５は蓄積している「２．ｗａｖ」ファイルを再生し、無線処理部２０を介して電話機（発信元）６に流される（図１１のｃ２）（図１２ステップＳ２７）。
【００７１】
制御部１９は着信応答メッセージの再生が終了すると（図１２ステップＳ２８）、伝言メッセージを録音するようにオーディオデータ蓄積部１５に要求し、オーディオデータ蓄積部１５は無線処理部２０を介して受信した電話機（発信元）６からの音声データを録音する（図１１のｃ３）（図１２ステップＳ２９）。
【００７２】
伝言メッセージの送出が終了すると、電話機（発信元）６からは携帯電話装置１に対して切断要求が行われる（図１１のｃ４）。携帯電話装置１の無線処理部２０は電話機（発信元）６からの切断要求を検出すると、その旨を制御部１９へ通知する。制御部１９は切断要求が通知されると（図１２ステップＳ３０）、オーディオデータ蓄積部１５に対して伝言メッセージ録音停止を要求し、オーディオデータ蓄積部１５は伝言メッセージの録音を停止する（図１２ステップＳ３１）。
【００７３】
図１３は本発明のさらに別の実施例による移動通信システムの着信応答に関するシーケンスを示すシーケンスチャートであり、図１４は本発明のさらに別の実施例による携帯電話装置の動作を示すフローチャートである。
【００７４】
ここで、本発明のさらに別の実施例による携帯電話装置は図１及び図２に示す本発明の一実施例による携帯電話装置１と同様の構成となっており、本発明のさらに別の実施例による移動通信システムは図３及び図４に示す本発明の一実施例による移動通信システムと同様の構成となっている。これら図１〜図４と図１３と図１４とを参照して本発明のさらに別の実施例による移動通信システムの着信応答動作について説明する。尚、図１４に示す処理は制御部１９が記録媒体２１のプログラムを実行することで実現される。
【００７５】
図１３は携帯電話装置１のオーディオデータ蓄積部１５にアクセス要求クライアント５からの要求で、インタネット１００上にある着信応答メッセージが指定された場合の電話機（発信元）６に対する着信応答のシーケンスを示している。この場合、携帯電話装置１は回線交換呼とパケット交換呼とを同時に行うマルチコール機能を有するものとする。
【００７６】
電話機（発信元）６は公衆回線網２００を介して携帯電話装置１に発信し、発信者番号“０１２３４５６７８９０”を含む着信要求を送信する（図１３のｄ１）。携帯電話装置１ではその着信要求を無線処理部２０が検出して制御部１９へ通知する（図１４ステップＳ４１）。
【００７７】
制御部１９は着信呼の発信者番号“０１２３４５６７８９０”に対して予め指定された動作があるかどうか、アクセス情報ＤＢ１６に問合せを行う。アクセス情報ＤＢ１６は発信者番号“０１２３４５６７８９０”に対して登録されているアクション、「応答メッセージとしてインタネット上にある３．ｗａｖを再生」という情報を制御部１９へ通知する（図１４ステップＳ４２）。
【００７８】
制御部１９は通常の着信処理（着信音鳴動、バイブレータ起動等）を行い（図１４ステップＳ４３）、使用者による応答が指定時間内にない場合（図１４ステップＳ４４）、留守番電話サービスを起動する（図１４ステップＳ４６）。但し、制御部１９は使用者による応答が指定時間内にあった場合（図１４ステップＳ４４）、通話処理に移る（図１４ステップＳ４５）。
【００７９】
制御部１９は留守番電話サービスを起動すると、上記のアクションを認識し、携帯電話装置１のマルチコール機能を利用してパケット交換呼によってインタネット１００上の「３．ｗａｖ」ファイルの取得を無線処理部２０を介してアクセス制御サーバ４に要求する（図１３のｄ２）。制御部１９はアクセス制御サーバ４からダウンロードした「３．ｗａｖ」ファイルをオーディオデータ蓄積部１５へ登録する（図１３のｄ３）（図１４ステップＳ４７）。
【００８０】
この後に、制御部１９はオーディオデータ蓄積部１５に対して「３．ｗａｖ」ファイルを再生するように要求する。オーディオデータ蓄積部１５は蓄積している「３．ｗａｖ」ファイルを再生し、無線処理部２０を介して電話機（発信元）６に流される（図１３のｄ４）（図１４ステップＳ４８）。この場合、着信に対して留守番電話として再生される着信応答メッセージは、回線交換呼着信中にパケット交換呼でダウンロードしたｗａｖファイルである。
【００８１】
制御部１９は着信応答メッセージの再生が終了すると（図１４ステップＳ４９）、伝言メッセージを録音するようにオーディオデータ蓄積部１５に要求し、オーディオデータ蓄積部１５は無線処理部２０を介して受信した電話機（発信元）６からの音声データを録音する（図１３のｄ５）（図１４ステップＳ５０）。
【００８２】
伝言メッセージの送出が終了すると、電話機（発信元）６からは携帯電話装置１に対して切断要求が行われる（図１３のｄ６）。携帯電話装置１の無線処理部２０は電話機（発信元）６からの切断要求を検出すると、その旨を制御部１９へ通知する。制御部１９は切断要求が通知されると（図１４ステップＳ５１）、オーディオデータ蓄積部１５に対して伝言メッセージ録音停止を要求し、オーディオデータ蓄積部１５は伝言メッセージの録音を停止する（図１４ステップＳ５２）。
【００８３】
上記の処理によって、携帯電話装置１はアクセス要求クライアント５の要求で指定／更新された着信応答メッセージを留守番電話の応答メッセージとして再生することができる。
【００８４】
尚、上述した説明では、ｗａｖファイル［Ｗｉｎｄｏｗｓ（Ｒ）で標準的な音声ファイルのフォーマット］で音声データを更新する場合について述べたが、テレビ電話装置等の場合、上記と同様の構成で、着信応答メッセージとして動画ファイルを更新することも可能である。
【００８５】
【発明の効果】
以上説明したように本発明は、少なくともインタネットを含む外部ネットワークに接続可能な携帯電話装置において、携帯電話装置に対するリモートアクセスを許容すると判定した時に少なくとも外部ネットワークからの要求に応答して少なくとも携帯電話装置内の情報閲覧・更新及び着信応答メッセージの更新を行うことによって、使用者が不意に忘れてしまっても外部からの電話帳・スケジュール等の閲覧及び着信呼に対する着信応答メッセージの変更を行うことができるという効果が得られる。
【図面の簡単な説明】
【図１】本発明の一実施例による携帯電話装置の外観を示す図である。
【図２】本発明の一実施例による携帯電話装置の内部構成を示すブロック図である。
【図３】本発明一実施例によるリモートアクセスを行うネットワークの構成例を示す図である。
【図４】図４は本発明の一実施例による外部からの着信時におけるネットワークの構成例を示す図である。
【図５】本発明の一実施例による移動通信システムのインタネットを経由したスケジュール情報取得に関するシーケンスを示すシーケンスチャートである。
【図６】図２の携帯電話装置の動作を示すフローチャートである。
【図７】図２の携帯電話装置が受信するスケジュール情報取得に関する電子メールの一例を示す図である。
【図８】本発明の他の実施例による移動通信システムのインタネットを経由した着信応答メッセージの更新に関するシーケンスを示すシーケンスチャートである。
【図９】本発明の他の実施例による携帯電話装置の動作を示すフローチャートである。
【図１０】本発明の他の実施例による携帯電話装置が受信する着信応答メッセージの更新に関する電子メールの一例を示す図である。
【図１１】図１１は本発明の別の実施例による移動通信システムの着信応答に関するシーケンスを示すシーケンスチャートである。
【図１２】本発明の別の実施例による携帯電話装置の動作を示すフローチャートである。
【図１３】本発明のさらに別の実施例による移動通信システムの着信応答に関するシーケンスを示すシーケンスチャートである。
【図１４】本発明のさらに別の実施例による携帯電話装置の動作を示すフローチャートである。
【符号の説明】
１　携帯電話装置
２　基地局
３　ゲートウェイ
４　アクセス制御サーバ
５　アクセス要求クライアント
６　電話機
１１　アンテナ
１２　表示部
１３　操作部
１４　個人情報蓄積部
１５　オーディオデータ蓄積部
１６　アクセス情報ＤＢ
１７　受信データ処理部
１８　送信データ処理部
１９　制御部
２０　無線処理部
２１　記録媒体
１００　インタネット
２００　公衆回線網
【図１】
2004096655.tif 000003
【図２】
2004096655.tif 000004
【図３】
2004096655.tif 000005
【図４】
2004096655.tif 000006
【図５】
2004096655.tif 000007
【図６】
2004096655.tif 000008
【図７】
2004096655.tif 000009
【図８】
2004096655.tif 000010
【図９】
2004096655.tif 000011
【図１０】
2004096655.tif 000012
【図１１】
2004096655.tif 000013
【図１２】
2004096655.tif 000014
【図１３】
2004096655.tif 000015
【図１４】
2004096655.tif 000016